(57)【要約】【課題】回路規模の増大を抑制すると共に、多階調での表示を可能にし、映像信号とは独立して画質調整されたオンスクリーン表示を行うことができる映像信号処理装置を提供する。【解決手段】映像信号処理装置は、所定のビット幅を持つ第１のＯＳＤ信号を出力する第１のＯＳＤ信号発生部１５と、所定のビット幅より狭いビット幅を持つ第２のＯＳＤ信号を出力する第２のＯＳＤ信号発生部１６と、第１のＯＳＤ信号と映像信号とを混合して出力する第１の混合回路１３と、第１の混合回路１３から出力された映像信号をアナログ映像信号に変換するＤＡ変換器１４と、第２のＯＳＤ信号を画質調整して出力する第１の画質調整回路２１と、ＤＡ変換器１４から出力されたアナログ映像信号と第１の画質調整回路２１から出力された第２のＯＳＤ信号とを混合して、混合映像信号を生成する第２の混合回路２４とを有する。【選択図】図１
2009017307.tif 000002
【特許請求の範囲】
【請求項１】
所定のビット幅を持つ第１のＯＳＤ信号を出力する第１のＯＳＤ信号発生部と、
前記所定のビット幅より狭いビット幅を持つ第２のＯＳＤ信号を出力する第２のＯＳＤ信号発生部と、
前記第１のＯＳＤ信号と映像信号とを混合して出力する第１の混合部と、
前記第１の混合部から出力された映像信号をアナログ映像信号に変換する第１のデジタルアナログ変換部と、
前記第２のＯＳＤ信号を画質調整して出力する第１の画質調整部と、
前記第１のデジタルアナログ変換部から出力された前記アナログ映像信号と前記第１の画質調整部から出力された第２のＯＳＤ信号とを混合して、混合映像信号を生成する第２の混合部と、
を有することを特徴とする映像信号処理装置。
【請求項２】
前記第２のＯＳＤ信号をアナログ信号に変換して前記第１の画質調整部に出力する第２のデジタルアナログ変換部を有することを特徴とする請求項１に記載の映像信号処理装置。
【請求項３】
所定のビット幅を持つＯＳＤ信号を出力する複数の第１のＯＳＤ信号発生部と、
前記所定のビット幅より狭いビット幅を持つＯＳＤ信号を出力する複数の第２のＯＳＤ信号発生部と、
前記複数の第１のＯＳＤ信号発生部の出力を混合して第１のＯＳＤ信号を出力する第１の混合部と、
前記複数の第２のＯＳＤ信号発生部の出力を混合して第２のＯＳＤ信号を出力する第２の混合部と、
前記第１のＯＳＤ信号と映像信号とを混合して出力する第３の混合部と、
前記第１の混合部から出力された映像信号をアナログ映像信号に変換する第１のデジタルアナログ変換部と、
前記第２のＯＳＤ信号を画質調整して出力する第１の画質調整部と、
前記第１のデジタルアナログ変換部から出力された前記アナログ映像信号と前記第１の画質調整部から出力された第２のＯＳＤ信号とを混合して、混合映像信号を生成する第４の混合部と、
を有することを特徴とする映像信号処理装置。
【請求項４】
前記第１のＯＳＤ信号又は前記第３の混合部からの出力をＹ，Ｃｂ，Ｃｒ信号に変換するＹ，Ｃｂ，Ｃｒ変換部を有することを特徴とする請求項１から請求項３の何れか１項に記載の映像信号処理装置。
【請求項５】
前記第１のデジタルアナログ変換部から出力された前記アナログ映像信号の画質を調整して出力する第２の画質調整部を有することを特徴とする請求項１から請求項４の何れか１項に記載の映像信号処理装置。
【発明の詳細な説明】
【技術分野】
【０００１】
本発明は、映像信号処理装置に関し、特に、オンスクリーンディスプレイ（以下、ＯＳＤという）信号と映像信号とを別々に画質調整するようにした映像信号処理装置に関する。
【背景技術】
【０００２】
従来より、テレビジョン装置などにおいては、画面上にチャネル番号、音量設定の文字、文字放送の文字などを表示するＯＳＤ機能を備えている。
【０００３】
映像信号処理装置は、デジタル処理によってＯＳＤ信号を発生させるものが多い。一方、モニタに映像信号を供給する出力段においては、アナログ回路が採用され、このアナログ回路において、画質調整等が施される。
【０００４】
ＯＳＤ信号及び映像信号は、デジタル処理部に設けられたＤＡ変換器によってアナログ信号に変換された後、出力段のアナログ回路に与えられるようになっている。
【０００５】
映像信号処理装置については、特許文献１及び２に開示されたものがある。この提案においては、ＯＳＤ信号と映像信号とを混合した後デジタルアナログ（以下、ＤＡという）変換器によりアナログ信号に変換して、混合した信号をアナログ回路に供給する。
【０００６】
従って、特許文献１，２の装置では、混合された映像信号に対して画質調整が行われることになり、ＯＳＤ信号と映像信号とを別々に画質調整することはできない。
【０００７】
そこで、ＯＳＤ信号と映像信号とを独立して画質調整可能とするために、ＯＳＤ信号と映像信号との混合処理を、アナログ回路の画質調整回路による画質調整後に行うことが考えられる。
【０００８】
しかしながら、この場合には、ＯＳＤ信号と映像信号とを別々のＤＡ変換器によってアナログ信号に変換してアナログ回路に供給する必要があり、回路規模が増大するという欠点がある。
【０００９】
そこで、ＯＳＤ信号として２ビットの信号を採用し、ＯＳＤ信号用のＤＡ変換器については簡易的なものを採用することで、回路規模の増大を抑制する方法も考えられる。
【００１０】
しかしながら、この場合には、ＯＳＤ信号のビット幅が狭いことから、オンスクリーン表示の色数が限られ中間色を表示することができないという問題があった。
【特許文献１】特開平１０−３４１３８６号公報
【特許文献２】特開２００３−９０３２号公報
【発明の開示】
【発明が解決しようとする課題】
【００１１】
本発明は、回路規模の増大を抑制すると共に、多くの色数での表示を可能にし、更に映像信号とは独立して画質調整されたオンスクリーン表示を行うことができる映像信号処理装置を提供することを目的とする。
【課題を解決するための手段】
【００１２】
本発明の一態様によれば、所定のビット幅を持つ第１のＯＳＤ信号を出力する第１のＯＳＤ信号発生部と、前記所定のビット幅より狭いビット幅を持つ第２のＯＳＤ信号を出力する第２のＯＳＤ信号発生部と、前記第１のＯＳＤ信号と映像信号とを混合して出力する第１の混合部と、前記第１の混合部から出力された映像信号をアナログ映像信号に変換する第１のデジタルアナログ変換部と、前記第２のＯＳＤ信号を画質調整して出力する第１の画質調整部と、前記第１のデジタルアナログ変換部から出力された前記アナログ映像信号と前記第１の画質調整部から出力された第２のＯＳＤ信号とを混合して、混合映像信号を生成する第２の混合部と、を有することを特徴とする映像信号処理装置を提供することができる。
【発明の効果】
【００１３】
本発明の映像信号処理装置によれば、回路規模の増大を抑制すると共に、多階調での表示を可能にし、映像信号とは独立して画質調整されたオンスクリーン表示を行うことができる。
【発明を実施するための最良の形態】
【００１４】
以下、図面を参照して本発明の実施の形態を説明する。  
＜第１の実施の形態＞  
図１は、本実施の形態に係る映像信号処理装置の構成を示すブロック図である。  
映像信号処理装置は、デジタル回路１と、アナログ回路２とによって構成されている。映像信号処理装置からの映像信号はモニタ３に供給される。モニタ３は、表示画面上に入力された映像信号に基づく表示を行う。デジタル回路１は、ＯＳＤ信号生成回路１０と、映像処理回路１１と、Ｙ，Ｃｂ，Ｃｒ変換回路１２と、混合回路１３と、ＤＡ変換器１４とを備えて構成されている。ここで、Ｙ，Ｃｂ，Ｃｒ変換回路１２のＹ、Ｃｂ及びＣｒは、それぞれ輝度信号、Ｂ−Ｙ色差信号及びＲ−Ｙ色差信号を示す。
【００１５】
一般に、ＯＳＤ信号生成回路１０には、モニタ３にチャネル番号を表示するためのＯＳＤ信号を発生させるＯＳＤ信号発生部、モニタ３に音量調節の文字を表示するためのＯＳＤ信号を発生させるＯＳＤ信号発生部等、複数のＯＳＤ信号発生部を有している。本実施の形態では、図１に示すようにＯＳＤ信号生成回路１０に２つのＯＳＤ信号発生部を有する場合について説明する。
【００１６】
ＯＳＤ信号生成回路１０は、ＯＳＤ信号発生部１５及びＯＳＤ信号発生部１６を備えて構成されている。ＯＳＤ信号発生部１５は、ＯＳＤ信号発生部１６よりも色数を多く表示できるＯＳＤ信号を発生する。
【００１７】
ＯＳＤ信号発生部１５は、色数を多く表示できるように、広いビット幅、例えば、１０ビットでＯＳＤ信号ＯＳ１を出力する。ＯＳＤ信号発生部１５は、１０ビットのＯＳＤ信号ＯＳ１としてＲ１［９：０］、Ｇ１［９：０］及びＢ１［９：０］のＲＧＢ信号を出力する。
【００１８】
一方、ＯＳＤ信号発生部１６は、ＯＳＤ信号発生部１５よりも色数を多く表示できないが単独にオンスクリーン表示の色、明るさ、コントラスト等を調整するために、ＯＳＤ信号ＯＳ１よりも狭いビット幅、例えば、２ビットでＯＳＤ信号ＯＳ２を出力する。ＯＳＤ信号発生部１６は、２ビットのＯＳＤ信号ＯＳ２としてＲ２［１：０］、Ｇ２［１：０］及びＢ２［１：０］のＲＧＢ信号を出力する。ＯＳＤ信号発生部１６からのＯＳＤ信号ＯＳ２はアナログ回路２に供給される。
【００１９】
ＯＳＤ信号発生部１５から出力されるＯＳＤ信号ＯＳ１は、Ｙ，Ｃｂ，Ｃｒ変換回路１２に入力される。Ｙ，Ｃｂ，Ｃｒ変換回路１２は、入力されたＯＳＤ信号ＯＳ１を１０ビットのＹ，Ｃｂ、Ｃｒ信号であるＹ２［９：０］、Ｃｂ２［９：０］及びＣｒ２［９：０］のＯＳＤ信号ＯＳ３に変換し、変換されたＯＳＤ信号ＯＳ３を混合回路１３に出力する。
【００２０】
映像処理回路１１は、１０ビットの映像信号Ｖ１としてＹ１［９：０］、Ｃｂ１［９：０］及びＣｒ１［９：０］を混合回路１３に出力する。
【００２１】
混合回路１３は、入力されたＯＳＤ信号ＯＳ３と映像信号Ｖ１とを混合して新たな１０ビットの映像信号Ｖ２としてＹ３［９：０］、Ｃｂ３［９：０］及びＣｒ３［９：０］を生成し、生成された映像信号Ｖ２をＤＡ変換器１４に出力する。ＤＡ変換器１４は、入力された映像信号Ｖ２をアナログ信号に変換し、アナログ回路２に出力する。
【００２２】
アナログ回路２は、ＤＡ変換器２０と、ＯＳＤ調整回路２１と、画質調整回路２２と、ＲＧＢ変換回路２３と、混合回路２４とを備えて構成されている。
【００２３】
アナログ回路２のＤＡ変換器２０には、ＯＳＤ信号発生部１６からのＯＳＤ信号ＯＳ２が与えられる。ＤＡ変換器２０は、入力されたＯＳＤ信号ＯＳ２をアナログ信号に変換し、ＯＳＤ調整回路２１に出力する。ＯＳＤ調整回路２１は、入力された信号に色、明るさ、コントラスト等の調整を行い、調整されたＯＳＤ信号を混合回路２４に出力する。
【００２４】
一方、アナログ回路２の画質調整回路２２には、ＤＡ変換器１４からのアナログ信号が与えられる。画質調整回路２２は、入力された信号に色、明るさ、コントラスト等の調整を行い、調整された信号をＲＧＢ変換回路２３に出力する。ＲＧＢ変換回路２３は、入力された映像信号をＲＧＢ信号に変換し、混合回路２４に出力する。
【００２５】
混合回路２４は、ＯＳＤ調整回路２１から出力されたＯＳＤ信号とＲＧＢ変換回路２３から出力された映像信号とを混合して混合映像信号を生成し、モニタ３に出力する。これにより、映像信号と色数を多く表示できるＯＳＤとを重畳した映像信号を生成して、さらに、その重畳した映像信号と単独に画質の調整を行ったＯＳＤ信号とを重畳した混合映像信号を生成し、映像をモニタ３に表示することができる。
【００２６】
特に、ＯＳＤ信号ＯＳ２が１ビットの場合、ＤＡ変換器２０が必要ないこともある。なお、ＤＡ変換器２０は、デジタル回路１にあってもよい。
【００２７】
次に、このように構成された実施の形態の動作について説明する。  
リモコン等によりチャネル番号の変更及び音量設定の変更が指示されると、ＯＳＤ信号発生部１５及び１６は、それぞれ変更の内容をモニタ３に表示するためのＯＳＤ信号ＯＳ１及びＯＳ２を出力する。
【００２８】
先ず、ＯＳＤ信号発生部１５から出力されるＯＳＤ信号ＯＳ１は、Ｙ，Ｃｂ，Ｃｒ信号に変換され、ＯＳＤ信号ＯＳ３として混合回路１３に入力される。混合回路１３は、入力されたＯＳＤ信号ＯＳ３及び映像信号Ｖ１を混合して、映像信号Ｖ２をＤＡ変換器１４に出力する。この場合、ＯＳＤ信号ＯＳ１は、映像信号Ｖ１と混合した後にＤＡ変換器１４に入力されるため、ＯＳＤ信号だけに対して画質の調整はできないが、広いビット幅を持たせることができ、色数を多く表示することができる。
【００２９】
ＤＡ変換器１４は、入力された映像信号Ｖ２をアナログ信号に変換して、画質調整回路２２に出力する。
【００３０】
画質調整回路２２に入力された映像信号は、コントラスト等の調整が行われ、ＲＧＢ変換回路２３に出力される。ＲＧＢ変換回路２３に入力された映像信号は、ＲＧＢ信号に変換され、混合回路２４に出力される。
【００３１】
一方、ＯＳＤ信号発生部１６から出力される２ビットのＯＳＤ信号ＯＳ２は、ＤＡ変換器２０に入力され、アナログ信号に変換される。
【００３２】
この場合、ＯＳＤ信号ＯＳ２は、狭いビット幅のＯＳＤ信号を利用しているため、回路規模の小さいＤＡ変換器を適用することができる。
【００３３】
ＤＡ変換器２０から出力されたアナログ信号は、ＯＳＤ調整回路２１に入力され、コントラスト等の調整が行われ、混合回路２４に出力される。このとき、ＯＳＤ信号ＯＳ２は、ＤＡ変換器２０によりアナログ信号に変換された後、ＯＳＤ調整回路２１に入力されるため、ＯＳＤ信号は、映像信号と混合されずに単独にオンスクリーン表示の色、明るさ、コントラスト等の調整をすることができる。
【００３４】
混合回路２４は、入力されたＯＳＤ信号及び映像信号を混合し、モニタ３に出力する。これにより、映像信号と色数を多く表示できるＯＳＤ信号とを重畳した映像信号を生成して、さらに、その重畳した映像信号と単独に画質の調整を行ったＯＳＤ信号とを重畳した混合映像信号を生成し、映像をモニタ３に表示することができる。
【００３５】
以上のように、色数が多いＯＳＤ信号を出力するＯＳＤ信号発生部１５と色数が少ないＯＳＤ信号を出力するＯＳＤ発生部１６とに分けるようにした。その結果、色数が少ないＯＳＤ信号用のＤＡ変換器の回路規模を小さくでき、さらに、単独にＯＳＤ信号の調整も行うことができる。また、色数の多いＯＳＤ信号は、映像信号と混合されるためＯＳＤ信号だけに対して画質の調整はできないが、ビット幅を広く持たせることにより色数を多く表示することができる。
【００３６】
よって、本実施の形態によれば、回路規模の増大を抑制すると共に、多階調での表示を可能にし、映像信号とは独立して画質調整されたオンスクリーン表示を行うことができる映像信号処理装置を実現することができる。
【００３７】
＜第２の実施の形態＞  
図２は、第２の実施の形態に係る映像信号処理装置の構成を示すブロック図である。図２において図１と同一の構成要素には同一符号を付して説明を省略する。なお、第１の実施の形態ではＯＳＤ信号発生部が２つの例について説明したが、本実施の形態ではＯＳＤ信号発生部が４つの例について説明する。
【００３８】
ＯＳＤ信号生成回路１０ａは、ＯＳＤ信号発生部１５ａ、１５ｂ、１６ａ及び１６ｂと、混合回路１７及び１８とによって構成されている。ＯＳＤ信号発生部１５ａ及び１５ｂは、ＯＳＤ信号発生部１６ａ及び１６ｂよりも色数を多く表示できるＯＳＤ信号を発生する。
【００３９】
ＯＳＤ信号発生部１５ａ及び１５ｂは、色数を多く表示できるように、広いビット幅、例えば、１０ビットでＯＳＤ信号ＯＳ１ａ及びＯＳ１ｂをそれぞれ出力する。ＯＳＤ信号発生部１５ａ及び１５ｂからそれぞれ出力されるＯＳＤ信号ＯＳ１ａ及びＯＳ１ｂは、混合回路１７に供給される。
【００４０】
混合回路１７は、入力されたＯＳＤ信号ＯＳ１ａとＯＳＤ信号ＯＳ１ｂとを混合してＯＳＤ信号ＯＳ１を生成し、生成されたＯＳＤ信号ＯＳ１をＹ，Ｃｂ，Ｃｒ変換回路１２に出力する。
【００４１】
一方、ＯＳＤ信号発生部１６ａ及び１６ｂは、ＯＳＤ信号発生部１５ａ及び１５ｂよりも色数を多く表示できないが単独にオンスクリーン表示の色、明るさ、コントラスト等を調整するために、ＯＳＤ信号ＯＳ１ａ及びＯＳ１ｂよりも狭いビット幅、例えば２ビットでＯＳＤ信号ＯＳ２ａ及びＯＳ２ｂをそれぞれ出力する。ＯＳＤ信号発生部１６ａ及び１６ｂからそれぞれ出力されるＯＳＤ信号ＯＳ２ａ及びＯＳ２ｂは、混合回路１８に供給される。
【００４２】
混合回路１８は、入力されたＯＳＤ信号ＯＳ２ａとＯＳＤ信号ＯＳ２ｂとを混合してＯＳＤ信号ＯＳ２を生成し、生成されたＯＳＤ信号ＯＳ２をアナログ回路２のＤＡ変換器２０に出力する。
【００４３】
その他の構成は、第１の実施の形態と同一であり、第１の実施の形態と同様に、映像信号と色数を多く表示できるＯＳＤとを重畳した映像信号を生成して、さらに、その重畳した映像信号と単独に画質の調整を行ったＯＳＤ信号とを重畳した混合映像信号を生成し、映像をモニタ３に表示することができる。
【００４４】
次に、このように構成された実施の形態の動作について説明する。  
ＯＳＤ信号発生部１５ａから出力されたＯＳＤ信号ＯＳ１ａ及びＯＳＤ信号発生部１５ｂから出力されたＯＳＤ信号ＯＳ１ｂは、混合回路１７に入力される。混合回路１７は、入力されたＯＳＤ信号ＯＳ１ａ及びＯＳＤ信号ＯＳ１ｂを混合して１０ビットのＯＳＤ信号ＯＳ１を生成し、Ｙ，Ｃｂ，Ｃｒ変換回路１２に出力する。
【００４５】
ＯＳＤ信号発生部１６ａから出力されたＯＳＤ信号ＯＳ２ａ及びＯＳＤ信号発生部１６ｂから出力されたＯＳＤ信号ＯＳ２ｂは、混合回路１８に入力される。混合回路１８は、入力されたＯＳＤ信号ＯＳ２ａ及びＯＳＤ信号ＯＳ２ｂを混合して２ビットのＯＳＤ信号ＯＳ２を生成し、アナログ回路２のＤＡ変換器２０に出力する。
【００４６】
その他の動作は、第１の実施の形態と同一であり、第１の実施の形態と同様に、映像信号と色数を多く表示できるＯＳＤ信号とを重畳した映像信号を生成して、さらに、その重畳した映像信号と単独に画質の調整を行ったＯＳＤ信号とを重畳した混合映像信号を生成し、映像をモニタ３に表示することができる。この場合、ＯＳＤ信号発生部１５ａ及び１５ｂからそれぞれ出力されるＯＳＤ信号ＯＳ１ａ及びＯＳ１ｂは、色数は少ないが、単独にオンスクリーン表示の色、明るさ、コントラスト等の調整をすることができる。また、ＯＳＤ信号のビット幅を狭く持たせるため、ＤＡ変換器２０の回路規模を小さくできる。一方、ＯＳＤ信号発生部１６ａ及び１６ｂからそれぞれ出力されるＯＳＤ信号ＯＳ２ａ及びＯＳ２ｂは、映像信号と混合されるためＯＳＤ信号だけに対して画質の調整はできないが、ビット幅を広く持たせることにより色数を多く表示することができる。
【００４７】
以上のように、色数を多く表示するＯＳＤ信号が複数存在する場合、色数を多く表示する複数のＯＳＤ信号を混合して１つのＯＳＤ信号を生成する。さらに、色数を少なく表示するＯＳＤ信号が複数存在する場合、色数を少なく表示する複数のＯＳＤ信号を混合して１つのＯＳＤ信号を生成する。その結果、第１の実施の形態と同様に、色数が少ないＯＳＤ信号用のＤＡ変換器の回路規模を小さくでき、さらに、単独にＯＳＤ信号の調整も行うことができる。また、色数の多いＯＳＤ信号は、映像信号と混合されるためＯＳＤ信号だけに対して画質の調整はできないが、ビット幅を広く持たせることにより、色数を多く表示することができる。
【００４８】
よって、本実施の形態によれば、第１の実施の形態と同様に回路規模の増大を抑制すると共に、多階調での表示を可能にし、映像信号とは独立して画質調整されたオンスクリーン表示を行うことができる映像信号処理装置を実現することができる。
【００４９】
なお、本実施の形態においては、ＯＳＤ信号発生部が４つの例について説明したが、ＯＳＤ信号発生部が３つ及び５つ以上ある場合にも同様に適用することができる。
【００５０】
また、第１及び第２の実施の形態においては、色数を多く表示できるＯＳＤ信号を１０ビット、色数を多く表示できないが単独にオンスクリーン表示の色、明るさ、コントラスト等を調整することができるＯＳＤ信号を２ビット及び映像信号を１０ビットとして説明したが、これらのビット幅以外の場合にも同様に適用することができる。
【００５１】
本発明は、上述した実施の形態に限定されるものではなく、本発明の要旨を変えない範囲において、種々の変更、改変等が可能である。
【図面の簡単な説明】
【００５２】
【図１】本発明の第１の実施の形態に係る映像信号処理装置の構成を示すブロック図。
【図２】本発明の第２の実施の形態に係る映像信号処理装置の構成を示すブロック図。
【符号の説明】
【００５３】
１…デジタル回路、２…アナログ回路、３…モニタ、１０，１０ａ…ＯＳＤ信号生成回路、１１…映像処理回路、１２…Ｙ，Ｃｂ，Ｃｒ変換回路、１３，１７，１８，２４…混合回路、１４，２０…ＤＡ変換器、１５，１５ａ，１５ｂ，１６，１６ａ，１６ｂ…ＯＳＤ信号発生部、２１…ＯＳＤ調整回路、２２…画質調整回路、２３…ＲＧＢ変換回路。
【図１】
2009017307.tif 000003
【図２】
2009017307.tif 000004